(57)【要約】  実施形態に係る通信装置は、装置間での同期なく通信が実行される通信方式により複数の他の通信装置に第１の情報を送信するトランスミッタと、前記通信方式により前記複数の他の通知装置から前記第１の情報の受信に応じた第２の情報を受信するレシーバと、を備える。前記トランスミッタは、前記複数の他の通信装置のそれぞれが前記第２の情報の送信タイミングを特定するための送信タイミング情報を前記複数の他の通信装置のそれぞれに送信する。
2017090673.tif 000002
【特許請求の範囲】
【請求項１】
通信装置であって、
装置間での同期なく通信が実行される通信方式により複数の他の通信装置に第１の情報を送信するトランスミッタと、
前記通信方式により前記複数の他の通知装置から前記第１の情報の受信に応じた第２の情報を受信するレシーバと、を備え、
前記トランスミッタは、前記複数の他の通信装置のそれぞれが前記第２の情報の送信タイミングを特定するための送信タイミング情報を前記複数の他の通信装置のそれぞれに送信する通信装置。
【請求項２】
前記トランスミッタは、前記送信タイミング情報として、前記通信装置と前記複数の他の通信装置のそれぞれとの間の伝搬遅延に応じた個別の情報を前記複数の他の通信装置のそれぞれに送信する請求項１に記載の通信装置。
【請求項３】
前記個別の情報は、前記第２の情報の送信開始時刻を示す情報、及び前記第１の情報の受信完了から前記第２の情報の送信開始までの待ち時間の少なくとも一方である請求項２に記載の通信装置。
【請求項４】
前記トランスミッタは、前記送信タイミング情報として、前記通信装置における前記第２の情報の受信タイミングを特定するための前記複数の他の通信装置で共通の情報を前記複数の他の通信装置のそれぞれに送信する請求項１に記載の通信装置。
【請求項５】
前記共通の情報は、前記第２の情報の受信開始時刻を示す情報、及び前記第１の情報の送信完了から前記第２の情報の受信開始までの時間を示す情報の少なくとも一方である請求項４に記載の通信装置。
【請求項６】
前記第１の情報の時間長さを送信区間を示す所定値よりも短くするコントローラをさらに備え、
前記コントローラは、前記複数の他の通信装置が前記第１の情報を受信してから前記第２の情報を送信するまでの最短の待ち時間に基づいて、前記第１の情報の時間長さを前記所定値よりも短くする請求項１に記載の通信装置。
【請求項７】
前記第１の情報の時間長さを送信区間を示す所定値よりも短くするコントローラをさらに備え、
前記コントローラは、前記通信装置と前記複数の他の通信装置のそれぞれとの間の伝搬遅延に応じた情報に基づいて、前記第１の情報の時間長さを前記所定値よりも短くする請求項１に記載の通信装置。
【請求項８】
前記トランスミッタは、前記送信タイミング情報として、前記所定値よりも短い前記第１の情報の時間長さを特定するための情報を前記複数の他の通信装置のそれぞれに送信する請求項６に記載の通信装置。
【請求項９】
通信装置であって、
装置間での同期なく通信が実行される通信方式により他の通信装置から第１の情報を受信するレシーバと、
前記第１の情報の受信に応じて、前記通信方式により第２の情報を前記他の通信装置へ送信するトランスミッタと、を備え、
前記レシーバは、前記第２の情報の送信タイミングを特定するための送信タイミング情報を前記他の通信装置から受信する通信装置。
【請求項１０】
前記送信タイミング情報は、前記第２の情報の送信開始時刻を示す情報、及び前記第１の情報の受信完了から前記第２の情報の送信開始までの待ち時間の少なくとも一方である請求項９に記載の通信装置。
【請求項１１】
前記レシーバは、前記送信タイミング情報として、前記他の通信装置における前記第２の情報の受信タイミングを特定するための情報を前記他の通信装置から受信し、
前記通信装置は、前記通信装置と前記他の通信装置との間の伝搬遅延に応じた情報と前記送信タイミング情報とに基づいて、前記第２の情報の送信タイミングを特定するコントローラをさらに備える請求項９に記載の通信装置。
【請求項１２】
前記第２の情報の受信タイミングを特定するための情報は、前記他の通信装置における前記第２の情報の受信開始時刻を示す情報、及び前記他の通信装置における第１の情報の送信完了から前記第２の情報の受信開始までの時間を示す情報の少なくとも一方である請求項１１に記載の通信装置。
【請求項１３】
前記レシーバは、前記送信タイミング情報として、送信区間を示す所定値よりも短い前記第１の情報の時間長さを特定するための情報を受信し、
前記通信装置は、前記通信装置と前記他の通信装置との間の伝搬遅延に応じた情報と前記送信タイミング情報とに基づいて、前記第２の情報の送信タイミングを特定するコントローラをさらに備える請求項９に記載の通信装置。
【請求項１４】
通信装置であって、
装置間で同期することなく通信が実行される通信方式により第１の情報を受信する受信対象となる複数の他の通信装置を複数のグループに分類するコントローラと、
前記複数の他の通信装置のうち、同一のグループを構成する各他の通信装置に前記通信方式により前記第１の情報を同時に送信するトランスミッタと、
前記通信方式により前記各他の通信装置から前記第１の情報の受信に応じた第２の情報を受信するレシーバと、を備え、
前記コントローラは、前記通信装置と前記複数の他の通信装置のそれぞれとの伝搬遅延に基づいて、前記複数の他の通信装置を複数のグループに分類する通信装置。
【請求項１５】
前記コントローラは、前記複数の他の通信装置のうち、前記伝搬遅延が所定の範囲内に含まれる各他の通信装置を同一のグループに分類する請求項１４に記載の通信装置。
【発明の詳細な説明】
【技術分野】
【０００１】
本出願は、通信システムにおいて用いられる通信装置に関する。
【背景技術】
【０００２】
近年、トラフィックの急増に伴って、無線ＬＡＮ（ＷＬＡＮ：Ｗｉｒｅｌｅｓｓ  Ｌｏｃａｌ  Ａｒｅａ  Ｎｅｔｗｏｒｋ）通信方式により通信を実行する通信装置が増加している。ＷＬＡＮ通信方式は、例えば、ＩＥＥＥ  ８０２．１１諸規格に準拠した通信方式であり、装置間での同期なく通信が実行される通信方式である。【０００３】
例えば、第１の通信装置（例えば、ネットワーク側のノード）は、ＷＬＡＮ通信方式により、非同期である第２の通信装置（例えば、無線端末）へ第１の情報（例えば、ユーザデータ）を送信する。当該データを正常に受信した第２の通信装置は、最短の待ち時間（ＳＩＦＳ（Ｓｈｏｒｔ  ＩｎｔｅｒＦｒａｍｅ  Ｓｐａｃｅ）時間）が経過した後に、当該データの受信に応じて第２の情報（例えば、ＡＣＫ）を第１の通信装置へ送信する。【０００４】
既存のＷＬＡＮ通信方式は、１対１での通信を行う際に用いられることが想定されている。従って、第１の通信装置が、複数の第２の通信装置から第２の情報を受信することが想定されていない。
【先行技術文献】
【非特許文献】
【０００５】
【非特許文献１】ＩＥＥＥ仕様書「ＩＥＥＥ  Ｓｔｄ  ８０２．１１ＴＭ−２０１２」    ２０１２年３月２９日
【発明の概要】
【０００６】
一の実施形態に係る通信装置は、装置間での同期なく通信が実行される通信方式により複数の他の通信装置に第１の情報を送信するトランスミッタと、前記通信方式により前記複数の他の通知装置から前記第１の情報の受信に応じた第２の情報を受信するレシーバと、を備える。前記トランスミッタは、前記複数の他の通信装置のそれぞれが前記第２の情報の送信タイミングを特定するための送信タイミング情報を前記複数の他の通信装置のそれぞれに送信する。
【０００７】
一の実施形態に係る通信装置は、装置間での同期なく通信が実行される通信方式により他の通信装置から第１の情報を受信するレシーバと、前記第１の情報の受信に応じて、前記通信方式により第２の情報を前記他の通信装置へ送信するトランスミッタと、を備える。前記レシーバは、前記第２の情報の送信タイミングを特定するための送信タイミング情報を前記他の通信装置から受信する。
【０００８】
一の実施形態に係る通信装置は、装置間で同期することなく通信が実行される通信方式により第１の情報を受信する受信対象となる複数の他の通信装置を複数のグループに分類するコントローラと、前記複数の他の通信装置のうち、同一のグループを構成する各他の通信装置に前記通信方式により前記第１の情報を同時に送信するトランスミッタと、前記通信方式により前記各他の通信装置から前記第１の情報の受信に応じた第２の情報を受信するレシーバと、を備える。前記コントローラは、前記通信装置と前記複数の他の通信装置のそれぞれとの伝搬遅延に基づいて、前記複数の他の通信装置を複数のグループに分類する。
【図面の簡単な説明】
【０００９】
【図１】図１は、ＬＴＥシステムの構成を示す図である。
【図２】図２は、ＬＡＡを説明するための図である。
【図３】図３は、ＷＬＡＮ通信方式を説明するための図である。
【図４】図４は、ＵＥ１００のブロック図である。
【図５】図５は、ｅＮＢ２００のブロック図である。
【図６】図６は、第１実施形態に係る動作環境を説明するための図である。
【図７】図７は、第１実施形態に係る動作パターン（その１）を説明するための図である。
【図８】図８は、第１実施形態に係る動作パターン（その２）を説明するための図である。
【図９】図９は、送信フレームの一例を説明するための図である。
【図１０】図１０は、第１実施形態に係る動作パターン（その３）を説明するための図である。
【図１１】図１１は、第２実施形態に係る動作を説明するための図である。
【図１２】図１２は、その他実施形態に係る動作を説明するための図である。
【発明を実施するための形態】
【００１０】
［実施形態の概要］
第１実施形態に係る通信装置は、装置間での同期なく通信が実行される通信方式を用いる。前記通信装置は、前記通信方式により複数の他の通信装置に第１の情報を送信するトランスミッタと、前記通信方式により前記複数の他の通信装置から前記第１の情報の受信に応じた第２の情報を受信するレシーバと、を備える。前記トランスミッタは、前記複数の他の通信装置のそれぞれが前記第２の情報の送信タイミングを特定するための送信タイミング情報を前記複数の他の通信装置のそれぞれに送信する。
【００１１】
前記トランスミッタは、前記送信タイミング情報として、前記通信装置と前記複数の他の通信装置のそれぞれとの間の伝搬遅延に応じた個別の情報を前記複数の他の通信装置のそれぞれに送信してもよい。
【００１２】
前記個別の情報は、前記第２の情報の送信開始時刻を示す情報、及び前記第１の情報の受信完了から前記第２の情報の送信開始までの待ち時間の少なくとも一方であってもよい。
【００１３】
前記トランスミッタは、前記送信タイミング情報として、前記通信装置における前記第２の情報の受信タイミングを特定するための前記複数の他の通信装置で共通の情報を前記複数の他の通信装置のそれぞれに送信してもよい。
【００１４】
前記共通の情報は、前記第２の情報の受信開始時刻を示す情報、及び前記第１の情報の送信完了から前記第２の情報の受信開始までの時間を示す情報の少なくとも一方であってもよい。
【００１５】
前記通信装置は、前記第１の情報の時間長さを送信区間を示す所定値よりも短くするコントローラをさらに備えてもよい。前記コントローラは、前記複数の他の通信装置が前記第１の情報を受信してから前記第２の情報を送信するまでの最短の待ち時間に基づいて、前記第１の情報の時間長さを前記所定値よりも短くしてもよい。
【００１６】
前記通信装置は、前記第１の情報の時間長さを送信区間を示す所定値よりも短くするコントローラをさらに備えてもよい。前記コントローラは、前記通信装置と前記複数の他の通信装置のそれぞれとの間の伝搬遅延に応じた情報に基づいて、前記第１の情報の時間長さを前記所定値よりも短くしてもよい。
【００１７】
前記トランスミッタは、前記送信タイミング情報として、前記所定値よりも短い前記第１の情報の時間長さを特定するための情報を前記複数の他の通信装置のそれぞれに送信してもよい。
【００１８】
第１実施形態に係る通信装置は、装置間での同期なく通信が実行される通信方式により他の通信装置から第１の情報を受信するレシーバと、前記第１の情報の受信に応じて、前記通信方式により第２の情報を前記他の通信装置へ送信するトランスミッタと、を備える。前記レシーバは、前記第２の情報の送信タイミングを特定するための送信タイミング情報を前記他の通信装置から受信する。
【００１９】
前記送信タイミング情報は、前記第２の情報の送信開始時刻を示す情報、及び前記第１の情報の受信完了から前記第２の情報の送信開始までの待ち時間の少なくとも一方であってもよい。
【００２０】
前記レシーバは、前記送信タイミング情報として、前記他の通信装置における前記第２の情報の受信タイミングを特定するための情報を前記他の通信装置から受信してもよい。前記通信装置は、前記通信装置と前記他の通信装置との間の伝搬遅延に応じた情報と前記送信タイミング情報とに基づいて、前記第２の情報の送信タイミングを特定するコントローラをさらに備えてもよい。
【００２１】
前記第２の情報の受信タイミングを特定するための情報は、前記他の通信装置における前記第２の情報の受信開始時刻を示す情報、及び前記他の通信装置における第１の情報の送信完了から前記第２の情報の受信開始までの時間を示す情報の少なくとも一方であってもよい。
【００２２】
前記レシーバは、前記送信タイミング情報として、送信区間を示す所定値よりも短い前記第１の情報の時間長さを特定するための情報を受信してもよい。前記通信装置は、前記通信装置と前記他の通信装置との間の伝搬遅延に応じた情報と前記送信タイミング情報とに基づいて、前記第２の情報の送信タイミングを特定するコントローラをさらに備えてもよい。
【００２３】
第２実施形態に係る通信装置は、装置間で同期することなく通信が実行される通信方式により第１の情報を受信する受信対象となる複数の他の通信装置を複数のグループに分類するコントローラと、前記複数の他の通信装置のうち、同一のグループを構成する各他の通信装置に前記通信方式により前記第１の情報を同時に送信するトランスミッタと、前記通信方式により前記各他の通信装置から前記第１の情報の受信に応じた第２の情報を受信するレシーバと、を備える。前記コントローラは、前記通信装置と前記複数の他の通信装置のそれぞれとの伝搬遅延に基づいて、前記複数の他の通信装置を複数のグループに分類する。
【００２４】
前記コントローラは、前記複数の他の通信装置のうち、前記伝搬遅延が所定の範囲内に含まれる各他の通信装置を同一のグループに分類してもよい。
【００２５】
［第１実施形態］
（システム構成）
以下において、実施形態に係る移動通信システムであるＬＴＥ（Ｌｏｎｇ−Ｔｅｒｍ  Ｅｖｏｌｕｔｉｏｎ）システムについて説明する。図１は、ＬＴＥシステムの構成を示す図である。
【００２６】
図１に示すように、ＬＴＥシステムは、ＵＥ（Ｕｓｅｒ  Ｅｑｕｉｐｍｅｎｔ）１００、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）１０、及びＥＰＣ（Ｅｖｏｌｖｅｄ  Ｐａｃｋｅｔ  Ｃｏｒｅ）２０を備える。
【００２７】
ＵＥ１００は、無線端末に相当する。ＵＥ１００は、移動型の通信装置である。ＵＥ１００は、セル（サービングセル）との無線通信を行う。ＵＥ１００の構成については後述する。
【００２８】
Ｅ−ＵＴＲＡＮ１０は、無線アクセスネットワークに相当する。Ｅ−ＵＴＲＡＮ１０は、ｅＮＢ２００（ｅｖｏｌｖｅｄ  Ｎｏｄｅ−Ｂ）を含む。ｅＮＢ２００は、基地局に相当する。ｅＮＢ２００は、Ｘ２インターフェイスを介して相互に接続される。ｅＮＢ２００の構成については後述する。
【００２９】
ｅＮＢ２００は、１又は複数のセルを管理する。ｅＮＢ２００は、自セルとの接続を確立したＵＥ１００との無線通信を行う。ｅＮＢ２００は、無線リソース管理（ＲＲＭ）機能、ユーザデータ（以下、単に「データ」という）のルーティング機能、モビリティ制御・スケジューリングのための測定制御機能等を有する。「セル」は、無線通信エリアの最小単位を示す用語として使用される。「セル」は、ＵＥ１００との無線通信を行う機能を示す用語としても使用される。
【００３０】
ＥＰＣ２０は、コアネットワークに相当する。ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００とを含む。ＭＭＥは、ＵＥ１００に対する各種モビリティ制御等を行う。Ｓ−ＧＷは、データの転送制御を行う。ＭＭＥ／Ｓ−ＧＷ３００は、Ｓ１インターフェイスを介してｅＮＢ２００と接続される。Ｅ−ＵＴＲＡＮ１０及びＥＰＣ２０は、ネットワークを構成する。
【００３１】
（ＬＡＡ）
実施形態に係るＬＴＥシステムは、オペレータに免許が付与されたライセンスドバンドだけではなく、免許が不要なアンライセンスドバンドも通信に使用する。具体的には、ライセンスドバンドの補助によりアンライセンスドバンドにアクセス可能とする。このような仕組みは、Ｌｉｃｅｎｓｅｄ−Ａｓｓｉｓｔｅｄ  Ａｃｃｅｓｓ（ＬＡＡ）と称される。
【００３２】
図２は、ＬＡＡを説明するための図である。図２に示すように、ｅＮＢ２００は、ライセンスドバンドで運用されるセル＃１と、アンライセンスドバンドで運用されるセル＃２と、を管理している。図２において、セル＃１がマクロセルであり、セル＃２が小セルである一例を図示しているが、セルサイズはこれに限定されない。
【００３３】
アンライセンスドバンドにおいては、ＬＴＥシステムとは異なるシステム（無線ＬＡＮ等）又は他のオペレータのＬＴＥシステムとの干渉を回避するために、Ｌｉｓｔｅｎ−Ｂｅｆｏｒｅ−Ｔａｌｋ（ＬＢＴ）手順が要求される。ＬＢＴ手順は、周波数チャネルが空いているか否かを受信電力に基づいて確認し、空きチャネル（ｃｌｅａｒ  ｃｈａｎｎｅｌ）であることが確認された場合に限り当該周波数チャネルを使用する手順である。
【００３４】
ｅＮＢ２００は、ＬＢＴ手順により、セル＃２（アンライセンスドバンド）において空きチャネルを検索し、空きチャネルを用いてＵＥ１００との通信を実行する。具体的には、ｅＮＢ２００が、装置間（ｅＮＢ−ＵＥ間）での同期なく通信が実行されるＷＬＡＮ通信方式を用いて、ＵＥ１００との通信を実行する。
【００３５】
図３は、ＷＬＡＮ通信方式を説明するための図である。図３に示すように、ｅＮＢ２００は、空きチャネルを用いて、ＷＬＡＮ通信方式により、ＵＥ１００へデータを送信する。ＵＥ１００は、ｅＮＢ２００からデータを受信する。ＵＥ１００は、ＬＢＴ手順を実行せずに、データの受信に応じて肯定応答（ＡＣＫ）をｅＮＢ２００へ送信する。具体的には、ＵＥ１００は、所定時間（Ｗａｉｔ  Ｔｉｍｅ）が経過した後に、肯定応答の送信を開始する。
【００３６】
所定時間は、最短の待ち時間（ＳＩＦＳ（Ｓｈｏｒｔ  ＩｎｔｅｒＦｒａｍｅ  Ｓｐａｃｅ）時間）以上であり、且つ、他の通信装置が割り込んで送信できない時間（ＤＩＦＳ（Ｄｉｓｔｒｉｂｕｔｅｄ（ｃｏｏｒｄｉｎａｔｉｏｎ  ｆｕｎｃｔｉｏｎ）ＩｎｔｅｒＦｒａｍｅ  Ｓｐａｃｅ）時間）未満である。所定時間は、ＳＩＦＳ時間と同じであってもよい。ＳＩＦＳ時間は、フレーム送信間隔における最短の待ち時間である。具体的には、ＳＩＦＳ時間は、エアーインターフェイス上のフレームの最終シンボルを受信し、フレームを処理し、且つ可能な限り早い応答フレームのエアーインターフェイス上の最初のシンボルで応答するためにＭＡＣ及びＰＨＹが要求する名目上の時間である。なお、ＤＩＦＳ時間は、使用中の周波数チャネルから無線信号が検出されなくなり、当該チャネルがアイドル状態（未使用の空きチャネル）であると判断されるまでの時間である。
【００３７】
（無線端末）
以下において、実施形態に係るＵＥ１００（無線端末）について説明する。図４は、ＵＥ１００のブロック図である。図４に示すように、ＵＥ１００は、レシーバ（Ｒｅｃｅｉｖｅｒ：受信部）１１０、トランスミッタ（Ｔｒａｎｓｍｉｔｔｅｒ：送信部）１２０、及びコントローラ（Ｃｏｎｔｒｏｌｌｅｒ：制御部）１３０を備える。レシーバ１１０とトランスミッタ１２０とは、一体化されたトランシーバ（送受信部）であってもよい。また、レシーバ１１０は、セルラ通信（ＬＴＥ通信）方式を用いられるレシーバと、ＷＬＡＮ通信方式を用いられるレシーバと、により構成されていてもよい。同様に、トランスミッタ１２０は、セルラ通信方式に用いられるトランスミッタと、ＷＬＡＮ通信方式を用いられるトランスミッタと、により構成されていても良い。
【００３８】
レシーバ１１０は、コントローラ１３０の制御下で各種の受信を行う。レシーバ１１０は、アンテナを含む。レシーバ１１０は、アンテナが受信する無線信号をベースバンド信号（受信信号）に変換する。レシーバ１１０は、ベースバンド信号をコントローラ１３０に出力する。
【００３９】
トランスミッタ１２０は、コントローラ１３０の制御下で各種の送信を行う。トランスミッタ１２０は、アンテナを含む。トランスミッタ１２０は、コントローラ１３０が出力するベースバンド信号（送信信号）を無線信号に変換する。トランスミッタ１２０は、無線信号をアンテナから送信する。
【００４０】
コントローラ１３０は、ＵＥ１００における各種の制御を行う。コントローラ１３０は、プロセッサ及びメモリを含む。メモリは、プロセッサにより実行されるプログラム、及びプロセッサによる処理に使用される情報を記憶する。プロセッサは、ベースバンドプロセッサと、ＣＰＵ（Ｃｅｎｔｒａｌ  Ｐｒｏｃｅｓｓｉｎｇ  Ｕｎｉｔ）と、を含んでもよい。ベースバンドプロセッサは、ベースバンド信号の変調・復調及び符号化・復号等を行う。ＣＰＵは、メモリに記憶されるプログラムを実行して各種の処理を行う。プロセッサは、音声・映像信号の符号化・復号を行うコーデックを含んでもよい。プロセッサは、後述する各種の処理及び上述した各種の通信プロトコルを実行する。
【００４１】
ＵＥ１００は、ＧＮＳＳ受信機を備えていてもよい。ＧＮＳＳ受信機は、ＵＥ１００の地理的な位置を示す位置情報を得るために、ＧＮＳＳ信号を受信する。ＧＮＳＳ受信機は、受信した信号をコントローラ１３０に出力する。或いは、ＵＥ１００は、ＵＥ１００の位置情報を取得するためのＧＰＳ機能を有していてもよい。
【００４２】
なお、以下で説明するＵＥ１００が実行する処理（動作）について、ＵＥ１００が備えるレシーバ１１０、トランスミッタ１２０、コントローラ１３０の少なくともいずれかが実行するが、便宜上、ＵＥ１００が実行する処理として説明する。
【００４３】
（基地局）
以下において、実施形態に係るｅＮＢ２００（基地局）について説明する。図５は、ｅＮＢ２００のブロック図である。図５に示すように、ｅＮＢ２００は、レシーバ（受信部）２１０、トランスミッタ（送信部）２２０、コントローラ（制御部）２３０、及びネットワークインターフェイス２４０を備える。レシーバ２１０とトランスミッタ２２０とは、一体化されたトランシーバ（送受信部）であってもよい。レシーバ２１０は、セルラ通信（ＬＴＥ通信）方式を用いられるレシーバと、ＷＬＡＮ通信方式を用いられるレシーバと、により構成されていてもよい。同様に、トランスミッタ２２０は、セルラ通信方式に用いられるトランスミッタと、ＷＬＡＮ通信方式を用いられるトランスミッタと、により構成されていても良い。
【００４４】
レシーバ２１０は、コントローラ２３０の制御下で各種の受信を行う。レシーバ２１０は、アンテナを含む。レシーバ２１０は、アンテナが受信する無線信号をベースバンド信号（受信信号）に変換する。レシーバ２１０は、ベースバンド信号をコントローラ２３０に出力する。
【００４５】
トランスミッタ２２０は、コントローラ２３０の制御下で各種の送信を行う。トランスミッタ２２０は、アンテナを含む。トランスミッタ２２０は、コントローラ２３０が出力するベースバンド信号（送信信号）を無線信号に変換する。トランスミッタ２２０は、無線信号をアンテナから送信する。
【００４６】
コントローラ２３０は、ｅＮＢ２００における各種の制御を行う。コントローラ２３０は、プロセッサ及びメモリを含む。メモリは、プロセッサにより実行されるプログラム、及びプロセッサによる処理に使用される情報を記憶する。プロセッサは、ベースバンドプロセッサと、ＣＰＵ（Ｃｅｎｔｒａｌ  Ｐｒｏｃｅｓｓｉｎｇ  Ｕｎｉｔ）と、を含んでもよい。ベースバンドプロセッサは、ベースバンド信号の変調・復調及び符号化・復号等を行う。ＣＰＵは、メモリに記憶されるプログラムを実行して各種の処理を行う。プロセッサは、後述する各種の処理及び上述した各種の通信プロトコルを実行する。
【００４７】
ネットワークインターフェイス２４０は、Ｘ２インターフェイスを介して隣接ｅＮＢ２００と接続される。ネットワークインターフェイス２４０は、Ｓ１インターフェイスを介してＭＭＥ／Ｓ−ＧＷ３００と接続される。ネットワークインターフェイス２４０は、Ｘ２インターフェイス上で行う通信及びＳ１インターフェイス上で行う通信等に使用される。
【００４８】
なお、以下で説明するｅＮＢ２００が実行する処理（動作）について、ｅＮＢ２００が備えるトランスミッタ２１０、レシーバ２２０、コントローラ２３０、ネットワークインターフェイス２４０の少なくともいずれかが実行するが、便宜上、ｅＮＢ２００が実行する処理として説明する。
【００４９】
（第１実施形態に係る動作）
次に、第１実施形態に係る動作について、図６から図１０を用いて説明する。図６は、第１実施形態に係る動作環境を説明するための図である。図７は、第１実施形態に係る動作パターン（その１）を説明するための図である。図８は、第１実施形態に係る動作パターン（その２）を説明するための図である。図９は、送信フレームの一例を説明するための図である。図１０は、第１実施形態に係る動作パターン（その３）を説明するための図である。
【００５０】
図６に示すように、各ＵＥ１００（ＵＥ１００−１及びＵＥ１００−２）は、ｅＮＢ２００が管理するセル内に位置している。ここでのセルは、アンライセンスドバンドで運用されるセルである。従って、各ＵＥ１００は、ｅＮＢからの無線信号を受信可能な状態である。ＵＥ１００−１は、ｅＮＢ２００の近くに位置し、ＵＥ１００−２は、ｅＮＢ２００の遠くに位置する。従って、ＵＥ１００−１とｅＮＢ２００との間の伝搬遅延（時間）は、ＵＥ１００−２とｅＮＢ２００との間の伝搬遅延（時間）よりも小さい（短い）と仮定して説明を進める。
【００５１】
このような動作環境において、ｅＮＢ２００が、ＷＬＡＮ通信方式により、複数のＵＥ１００（ＵＥ１００−１及びＵＥ１００−２）に第１の情報（データ）を送信するケースを想定する。
【００５２】
ここで、ＷＬＡＮ通信方式は、ｅＮＢ２００と各ＵＥ１００との間での同期なく通信が実行される通信方式である。従って、本実施形態において、ｅＮＢ２００は、複数のＵＥ１００から同一のタイミング又は時間方向において同一の無線リソース内で第１の情報の受信に応じた第２の情報を受信するために、複数のＵＥ１００のそれぞれが第２の情報の送信タイミングを特定するための送信タイミング情報を複数のＵＥ１００に送信する。詳細な動作について、以下の動作パターン１から５で説明する。なお、各動作パターンにおいて、重複する内容の説明は、適宜省略する。
【００５３】
（Ａ）動作パターン１
動作パターン１では、ｅＮＢ２００が、送信タイミング情報として、各ＵＥ１００における第２の情報の送信開始時刻を示す情報を送信する。すなわち、動作パターン１では、ｅＮＢ２００が伝搬遅延に応じた個別の情報を送信タイミング情報として、各ＵＥ１００へ送信する。
【００５４】
図７に示すように、ｅＮＢ２００は、ＷＬＡＮ通信方式により、複数のＵＥ１００のそれぞれにデータ（第１の情報）を送信する。すなわち、ｅＮＢ２００は、アンライセンスドバンドにおける空きチャネルを用いて、複数のＵＥ１００のそれぞれにデータを送信する。
【００５５】
ＵＥ１００−１及びＵＥ１００−２は、ｅＮＢ２００からデータを受信する。ＵＥ１００−１は、ＵＥ１００−２よりも伝搬遅延時間が短いため、ＵＥ１００−２よりも早くデータを受信する。一方、ＵＥ１００−２は、ＵＥ１００−２よりもデータを遅く受信する。
【００５６】
各ＵＥ１００は、当該データの受信に応じて、ＷＬＡＮ通信方式により送達確認情報（第２の情報）を送信する。データの受信に成功したＵＥ１００は、ＡＣＫ（肯定応答）を送信し、データの受信に失敗したＵＥ１００は、ＮＡＣＫ（否定応答）を送信する。なお、各ＵＥ１００は、再送処理であるＨＡＲＱ（Ｈｙｂｒｉｄ  ＡＲＱ）処理のためのＨＡＲＱフィードバック（ＡＣＫ／ＮＡＣＫ）を送信してもよい。以下において、各ＵＥ１００が、第２の情報として、ＡＣＫを送信すると仮定して説明を進める。
【００５７】
各ＵＥ１００は、第２の情報を送信する前に、ｅＮＢ２００から受信した送信タイミング情報に基づいて、第２の情報の送信タイミングを特定する。動作パターン１では、送信タイミング情報は、第２の情報の送信開始時刻を示す情報である。ｅＮＢ２００は、例えば、ＵＴＣ（Ｃｏｏｒｄｉｎａｔｅｄ  Ｕｎｉｖｅｒｓａｌ  Ｔｉｍｅ）を基準とした第２の情報の送信開始時刻を示す情報を送信タイミング情報として各ＵＥ１００へ送信できる。第２の情報の送信開始時刻を示す情報は、各ＵＥ１００が第２の情報を送信するために用いる無線リソースを示す情報（特に、時間位置（及び周波数位置）を特定するための情報）であってもよい。
【００５８】
ｅＮＢ２００は、データ（第１の情報）に送信タイミング情報を含めてもよい。或いは、ｅＮＢ２００は、当該データとは別に送信タイミング情報をＵＥ１００−１及びＵＥ１００−２へ送信してもよい。この場合、ｅＮＢ２００は、ライセンスドバンドにおけるチャネルを用いて、送信タイミング情報を送信してもよい。ｅＮＢ２００は、送信タイミング情報を個別シグナリング（例えば、下り制御情報（ＤＣＩ：Ｄｏｗｎｌｉｎｋ  Ｃｏｎｔｒｏｌ  Ｉｎｆｏｒｍａｔｉｏｎ））により送信してもよい。
【００５９】
ｅＮＢ２００は、ＵＥ１００−１から送信された第２の情報と、ＵＥ１００−２から送信された第２の情報とを同じタイミング又は同じ無線リソース内で受信するために、ｅＮＢ２００と複数のＵＥ１００それぞれとの間の伝搬遅延（時間）を考慮して、各ＵＥ１００における第２の情報の送信タイミングを算出する。すなわち、ｅＮＢ２００は、ＵＥ１００毎の第２の情報の送信タイミングを算出する。
【００６０】
ｅＮＢ２００は、アンライセンスドバンドにおいてＷＬＡＮ通信方式によりＵＥ１００から受信した無線信号に含まれる送信時刻を示すタイムスタンプと、ｅＮＢ２００が当該無線信号を受信した時刻との差に基づいて、伝搬遅延時間を算出してもよい。ｅＮＢ２００は、ｅＮＢ２００の位置情報とＵＥ１００の位置情報とに基づいて、伝搬遅延時間を算出してもよい。ｅＮＢ２００は、ＵＥ１００の位置情報をＵＥ１００から取得してもよい。ｅＮＢ２００は、、ＵＥ１００の位置を管理するネットワーク装置から取得してもよい。ｅＮＢ２００は、セルラ通信（ＬＴＥ通信）において上りにおける送信タイミングの調整に用いられるＴＡ（Ｔｉｍｉｎｇ  Ａｄｖａｎｃｅｄ）値に応じて、伝搬遅延時間を算出してもよい。ＴＡ値は、上り受信タイミングに由来する値である。ＴＡ値は、装置間での同期が確立された状態で通信が実行されるＬＴＥ通信（セルラ通信）において用いられる。具体的には、セルラ通信において、ＵＥ１００は、ｅＮＢ２００への上り送信のタイミングを進める／遅らせるためにＴＡ値を用いる。
【００６１】
ｅＮＢ２００は、算出した伝搬遅延時間を考慮して、各ＵＥ１００で個別の第２の情報の送信タイミングを算出する。ｅＮＢ２００は、伝搬遅延時間を算出せずに、上述の伝搬遅延時間を算出するために用いた情報により、第２の情報の送信タイミングを算出してもよい。
【００６２】
従って、ｅＮＢ２００は、ｅＮＢ２００とＵＥ１００−１との間の伝搬遅延に応じたＵＥ１００−１における第２の情報の送信開始時刻を示す情報を、送信タイミング情報としてＵＥ１００−１に送信する。ｅＮＢ２００は、ｅＮＢ２００とＵＥ１００−２との間の伝搬遅延に応じたＵＥ１００−２における第２の情報の送信開始時刻を示す情報を、送信タイミング情報としてＵＥ１００−２に送信する。なお、ＵＥ１００−２の送信開始時刻は、ＵＥ１００−１の送信開始時刻よりも早い。
【００６３】
ｅＮＢ２００からデータ（第１の情報）を受信した各ＵＥ１００は、送信タイミング情報に基づいて、第２の情報（ＡＣＫ）を送信する。具体的には、各ＵＥ１００は、送信タイミング情報が示す第２の情報の送信開始時刻でＡＣＫを送信する。各ＵＥ１００は、データの受信完了時刻から最短の待ち時間（ＳＩＦＳ時間）が経過していても、第２の情報の送信開始時刻までＡＣＫの送信を開始しない。
【００６４】
図７に示すように、ＵＥ１００−２は、ＵＥ１００−１よりも先にＡＣＫの送信を開始する。ＵＥ１００−１は、ＵＥ１００−２よりも後にＡＣＫの送信を開始する。従って、ＵＥ１００−１の待ち時間（データの受信完了からＡＣＫの送信開始までの待ち時間：Ｗａｉｔ  Ｔｉｍｅ）は、ＵＥ１００−２の待ち時間よりも長い。
【００６５】
一方、ｅＮＢ２００は、ＵＥ１００−１及びＵＥ１００−２のそれぞれからのＡＣＫを同一のタイミング又は時間方向において同一の無線リソース内で受信する。
【００６６】
（Ｂ）動作パターン２
動作パターン２では、ｅＮＢ２００が、送信タイミング情報として、第１の情報（データ）の受信完了から第２の情報の送信開始まで待ち時間を示す情報を送信する。すなわち、動作パターン２では、動作パターン１と同様に、ｅＮＢ２００が伝搬遅延に応じた個別の情報を送信タイミング情報として、各ＵＥ１００へ送信する。
【００６７】
ｅＮＢ２００は、動作パターン１と同様に、ｅＮＢ２００と複数のＵＥ１００それぞれとの間の伝搬遅延（時間）を考慮して、各ＵＥ１００における待ち時間を算出する。例えば、ｅＮＢ２００は、各ＵＥ１００のＴＡ値に基づいて、待ち時間（Ｗａｉｔ  Ｔｉｍｅ）を算出する。具体的には、図８に示すように、ｅＮＢ２００がデータ（第１の情報）の送信を完了してからｅＮＢ２００がＡＣＫ（第２の情報）を受信するまでの時間から２ＴＡ値を引くことにより待ち時間を算出する。ｅＮＢ２００は、ＴＡ値の代わりに、動作パターン１と同様に算出した伝搬遅延（時間）により、待ち時間を算出してもよい。
【００６８】
下り送信区間がフレーム構成で規定されている場合、ｅＮＢ２００は、図８に示すように、データ（第１の情報）の時間長さを所定値よりも短くしてもよい。所定値は、送信区間を示す値である。本実施形態では、下り送信区間を構成するフレームのフレーム長（時間長さ）である。図９に示すように、ｅＮＢ２００は、第１の情報を含むフレームの一部とノイズ情報との合計時間長さをフレーム長Ｆに一致させることにより、データの時間長さを所定値よりも短くしてもよい。具体的には、ｅＮＢ２００は、フレームの最初から途中まで第１の情報を含み、フレームの最後の部分にノイズ情報を含む無線信号を生成してもよい。データ（第１の情報）は、制御領域（ＰＤＣＣＨ（Ｐｈｙｓｉｃａｌ  Ｄｏｗｎｌｉｎｋ．  Ｃｏｎｔｒｏｌ  ＣＨａｎｎｅｌ）／ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）／ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ））とデータ領域（ＰＤＳＣＨ（Ｐｈｙｓｉｃａｌ  Ｄｏｗｎｌｉｎｋ  Ｓｈａｒｅｄ  Ｃｈａｎｎｅ））とからなってもよい。ノイズ情報は、他の通信装置が割り込んで送信できないようにするための任意の情報（無線信号）である。ノイズ情報は、第２の情報を送信予定の各ＵＥ１００において下り送信及び／又は次の上り送信に必要な情報を含まない無線信号であることが好ましい。ノイズ情報の時間長さは、予め規定されていてもよいし、ｅＮＢ２００により調整されてもよい。例えば、ｅＮＢ２００は、アンライセンスドバンドにおけるセルの半径（すなわち、送信電力）によって、ノイズ情報の時間長さを調整してもよい。従って、ｅＮＢ２００は、データの時間長さを調整してもよい。ｅＮＢ２００は、データの時間長さを短くする、すなわち、規定された送信時間（フレーム長Ｆ）よりも短い時間の間、データに対応する無線信号を送信するだけでもよい。言い換えると、ｅＮＢ２００は、データに対応する無線信号を送信した後、ノイズ情報に対応する無線信号を送信しなくてもよい。
【００６９】
なお、トランスポートブロックサイズ（ＴＢＳ（Ｔｒａｎｓｐｏｒｔ  Ｂｌｏｃｋ  Ｓｉｚｅ）に関して、ＬＴＥにおけるＴＤＤ（Ｔｉｍｅ−Ｄｉｖｉｓｉｏｎ  Ｄｕｐｌｅｘ）のＤｗＰＴＳ（Ｄｏｗｎｌｉｎｋ  Ｐｉｌｏｔ  Ｔｉｍｅ  Ｓｌｏｔ）が再利用されてもよい。或いは、ＴＢＳサイズは、新たに規定されてもよい。上りにおける送信フォーマットとして、既存のＬＴＥと同様の規定（例えば、ＯＦＤＭシンボル、サブフレーム等）が用いられてもよい。或いは、送信フォーマットは、新たに規定されてもよい。
【００７０】
ｅＮＢ２００は、各ＵＥ１００を第１の情報を受信してから第２の情報を送信するまでの最短の待ち時間（ＳＩＦＳ時間）に基づいて、第１の情報の時間長さを所定値よりも短くしてもよい。例えば、ＵＥ１００が通常の時間長さの第１の情報を受信してから第２の情報を送信するまでの待ち時間が、ＳＩＦＳ時間よりも短くなる場合、ｅＮＢ２００は、第１の情報の時間長さを所定値よりも短くすることができる。
【００７１】
ｅＮＢ２００は、ｅＮＢ２００と各ＵＥ１００との間の伝搬遅延（時間）に応じた情報に基づいて、第１の情報の時間長さを所定値よりも短くしてもよい。伝搬遅延（時間）に応じた情報は、例えば、上述の伝搬遅延時間を算出するために用いた情報である。例えば、往復の伝搬遅延時間が、ＳＩＦＳ時間よりも長い場合、ｅＮＢ２００は、第１の情報の時間長さを所定値よりも短くすることができる。なお、ｅＮＢ２００は、伝搬遅延（時間）とＳＩＦＳ時間との両方に基づいて、第１の情報の時間長さを所定値よりも短くしてもよい。
【００７２】
なお、ｅＮＢ２００は、各ＵＥ１００に個別の第１の情報を送信する場合、待ち時間がＳＩＦＳ時間よりも短くなるＵＥ１００への第１の情報の時間長さを所定値よりも短くし、その他のＵＥ１００への第１の情報の時間長さは、通常通りであってもよい。
【００７３】
ｅＮＢ２００は、第１の情報の時間長さを短くした場合、第１の情報の時間長さ（Ｄａｔａ長Ｌ）を特定するための情報を各ＵＥ１００へ送信してもよい。当該情報は、Ｄａｔａ長Ｌを示す情報であってもよい。当該情報は、ノイズ情報の時間長さ（ノイズ長Ｎ）であってもよい。下り送信区間がフレーム構成でが規定されていない場合、当該情報は、ノイズ長Ｎとフレーム長Ｆとのそれぞれを示す情報であってもよい。なお、ｅＮＢ２００が第１の情報の時間長さを短くした場合、待ち時間は、第１の情報（制御）のノイズ情報に対応する情報（無線信号）の受信完了から第２の情報の送信開始までの時間でないことに留意すべきである。
【００７４】
ｅＮＢ２００は、各ＵＥ１００の伝搬遅延（時間）に応じて待ち時間を算出した後、算出した待ち時間を送信タイミング情報として、各ＵＥ１００へ送信する。ｅＮＢ２００は、送信タイミング情報を第１の情報に含める場合、制御領域に送信タイミング情報を含めてもよい。ｅＮＢ２００は、送信タイミング情報を第１の情報に含める場合、ユーザデータ領域に送信タイミング情報を含めてもよい。
【００７５】
ｅＮＢ２００から第１の情報を受信した各ＵＥ１００は、送信タイミング情報に基づいて、第２の情報を送信する。具体的には、各ＵＥ１００は、第１の情報の受信が完了してから、送信タイミング情報が示す待ち時間が経過したタイミングで、第２の情報の送信を開始する。
【００７６】
ＵＥ１００は、第１の情報の時間長さを特定するための情報に基づいて、第１の情報の受信が完了したことを判断してもよい。ＵＥ１００は、第１の情報に対応する無線信号を取得（モニタ）できなくなった場合に、第１の情報の受信が完了したと判断してもよい。第１の情報の最後に第１の情報の最後であることを示す情報が付されている場合、ＵＥ１００は、当該情報に基づいて、第１の情報の受信が完了したと判断してもよい。
【００７７】
（Ｃ）動作パターン３
動作パターン３では、ｅＮＢ２００が、送信タイミング情報として、ｅＮＢ２００における第２の情報の受信開始時刻を示す情報を送信する。すなわち、動作パターン３では、ｅＮＢ２００は、各ＵＥ１００で共通の情報を送信タイミング情報として各ＵＥ１００へ送信する。
【００７８】
ｅＮＢ２００は、（所望の）第２の情報の受信開始時刻（受信タイミング）を決定する。ｅＮＢ２００は、第１の情報の送信タイミングを考慮して、第２の情報の受信開始時刻を決定してもよい。また、ｅＮＢ２００は、第２の情報の受信開始時刻を決定した後、動作パターン２と同様に、第１の情報の時間長さを所定値よりも短くしてもよい。
【００７９】
ｅＮＢ２００は、送信タイミング情報として、ｅＮＢ２００における第２の情報の受信開始時刻を示す情報を各ＵＥ１００へ送信する。具体的には、ｅＮＢ２００は、ＵＴＣを基準とした第２の情報の受信開始時刻を示す情報を各ＵＥ１００へ送信する。第２の情報の受信開始時刻を示す情報は、ｅＮＢ２００が第２の情報を受信するために用いる無線リソースを示す情報（特に、時間位置（及び周波数位置）を特定するための情報）であってもよい。
【００８０】
なお、ｅＮＢ２００は、ライセンスドバンドにおけるチャネルを用いて、送信タイミング情報を送信する場合には、共通シグナリング（例えば、ＳＩＢ（Ｓｙｓｔｅｍ  Ｉｎｆｏｒｍａｔｉｏｎ  Ｂｌｏｃｋ）、ＰＤＣＣＨなど）により送信タイミング情報を送信してもよい。
【００８１】
各ＵＥ１００は、送信タイミング情報に基づいて、第２の情報の送信タイミングを特定する。例えば、ＵＥ１００−１は、ｅＮＢ２００とＵＥ１００−１との間の伝搬遅延に応じた情報とｅＮＢ２００における第２の情報の受信開始時刻を示す情報とに基づいて、ＵＥ１００−１における第２の情報の送信タイミングを算出する。具体的には、ＵＥ１００−１は、ｅＮＢ２００における第２の情報の受信開始時刻よりも伝搬遅延時間（例えば、ＴＡ値）だけ早い時刻を送信タイミングとして算出する。
【００８２】
なお、ＵＥ１００−１は、ＴＡ値以外の情報を伝搬遅延時間とみなしてもよい。例えば、ＵＥ１００−１は、アンライセンスドバンドにおいてＷＬＡＮ通信方式によりｅＮＢ２００から受信した無線信号に含まれる送信時刻を示すタイムスタンプと、ＵＥ１００が当該無線信号を受信した時刻との差に基づいて、伝搬遅延時間を算出してもよい。或いは、ＵＥ１００−１は、ｅＮＢ２００の位置情報とＵＥ１００の位置情報とに基づいて、伝搬遅延時間を算出してもよい。ＵＥ１００−１は、ｅＮＢ２００の位置情報を、ｅＮＢ２００から取得してもよい。伝搬遅延時間を算出するための情報は、送信タイミング情報と共にｅＮＢ２００からＵＥ１００−１へ送信されてもよい。
【００８３】
各ＵＥ１００は、第２の情報の送信タイミングを特定した後、当該特定した送信タイミングで第２の情報の送信を行う。
【００８４】
（Ｄ）動作パターン４
動作パターン４では、ｅＮＢ２００が、送信タイミング情報として、ｅＮＢ２００における第１の情報の送信完了から第２の情報の受信開始までの時間を示す情報を送信する。すなわち、動作パターン４では、ｅＮＢ２００は、各ＵＥ１００で共通の情報を送信タイミング情報として各ＵＥ１００へ送信する。
【００８５】
ｅＮＢ２００は、（所望の）第２の情報の受信開始時刻（受信タイミング）を決定する。ｅＮＢ２００は、第１の情報の送信タイミングを考慮して、第２の情報の受信開始時刻を決定してもよい。ｅＮＢ２００は、第２の情報の受信開始時刻を決定した後、動作パターン２と同様に、第１の情報の時間長さを所定値よりも短くしてもよい。
【００８６】
このようにして、ｅＮＢ２００は、第１の情報の送信完了時刻と、第２の情報の受信開始時刻とを決定することにより、第１の情報の送信完了から第２の情報の受信開始までの時間（以下、ｅＮＢ待ち時間）を算出する。ｅＮＢ２００は、算出したｅＮＢ待ち時間を送信タイミング情報として各ＵＥ１００に送信する。
【００８７】
各ＵＥ１００は、送信タイミング情報に基づいて、第２の情報の送信タイミングを特定する。例えば、ＵＥ１００−１は、ｅＮＢ２００とＵＥ１００−１との間の伝搬遅延に応じた情報とｅＮＢ待ち時間を示す情報とに基づいて、ＵＥ１００−１における第２の情報の送信タイミングを算出する。具体的には、ＵＥ１００−１は、ｅＮＢ待ち時間から２ＴＡ値を引くことにより待ち時間を算出できる。動作パターン３と同様にＴＡ値以外の情報により待ち時間を算出してもよい。
【００８８】
各ＵＥ１００は、待ち時間を算出した後、動作パターン２と同様に、第２の情報の送信をｅＮＢ２００へ送信する。
【００８９】
（Ｄ）動作パターン５
動作パターン５では、ｅＮＢ２００が、送信タイミング情報として、所定値よりも短い第１の情報の時間長さを特定するための情報を送信する。すなわち、動作パターン５では、ｅＮＢ２００は、各ＵＥ１００で共通の情報を送信タイミング情報として各ＵＥ１００へ送信する。
【００９０】
図１０に示すように、ｅＮＢ２００は、規定されたフレーム長Ｆの第１の情報を送信完了後、ＳＩＦＳ時間が経過した直後のタイミングを第２の情報の受信開始タイミングとみなす。
【００９１】
ｅＮＢ２００は、伝搬遅延時間を考慮して、最も伝搬遅延時間が大きいＵＥ１００が、第１情報の受信完了からＳＩＦＳ時間経過した後に、第２の情報を送信しても、ｅＮＢ２００が第２の情報の受信開始タイミングまでに、当該第２の情報を受信できるように、第１の情報の時間長さを所定値よりも短くする。
【００９２】
ｅＮＢ２００は、第１の情報の時間長さ（Ｄａｔａ長Ｌ）を特定するための情報を送信タイミング情報として各ＵＥ１００へ送信する。第１の情報の時間長さ（Ｄａｔａ長Ｌ）を特定するための情報は、動作パターン２と同様の情報である。
【００９３】
各ＵＥ１００は、送信タイミング情報に基づいて、待ち時間を特定する。具体的には、図１０に示すように、待ち時間は、ＳＩＦＳ時間と適応時間との合計である。適応時間は、Ｄａｔａ長Ｌから２ＴＡ値を引いた値である。各ＵＥ１００は、動作パターン２と同様に、算出（特定）した待ち時間が経過したタイミングで、第２の情報の送信を開始する。
【００９４】
（まとめ）
本実施形態では、ｅＮＢ２００は、各ＵＥ１００が第２の情報の送信タイミングを特定するための送信タイミング情報を各ＵＥ１００に送信する。各ＵＥ１００は、送信タイミング情報をｅＮＢ２００から受信する。各ＵＥ１００は、送信タイミング情報に基づいて、第２の情報の送信タイミングを算出（特定）し、当該タイミングで第２の情報を送信できる。これにより、ｅＮＢ２００は、第２の情報の送信タイミングをコントロールすることができる。従って、ｅＮＢ２００は、例えば、同一の無線リソースで送信された第１の情報の受信に応じた各ＵＥ１００からの第２の情報を受信する場合であっても、第２の情報が時間方向に分散せずに、複数のＵＥ１００から同一のタイミング又は時間方向において同一の無線リソース内で第２の情報を受信することができる。第２の情報が時間方向に分散しないため、ｅＮＢ２００は、各ＵＥ１００からの第２の情報の受信タイミングを把握することができ、第２の情報を適切に分離することができる。
【００９５】
また、ＡＣＫ／ＮＡＣＫ等のフィードバック情報は、データ量が小さいので、ｅＮＢ２００が当該フィードバック情報を第１の情報として同一時間（及び同一周波数）で受信することにより、無線リソースを有効活用することができる。
【００９６】
このように、ｅＮＢ２００は、複数のＵＥ１００から効率よく第２の情報を受信することができる。
【００９７】
［第２実施形態］
次に、第２実施形態について、図１１を用いて説明する。図１１は、第２実施形態に係る動作を説明するための図である。第１実施形態と同様の部分は、説明を適宜省略する。
【００９８】
図１１に示すように、各ＵＥ１００（ＵＥ１００−１からＵＥ１００−４）は、ｅＮＢ２００が管理するセル内に位置している。ここでのセルは、アンライセンスドバンドで運用されるセルである。従って、各ＵＥ１００は、ｅＮＢからの無線信号を受信可能な状態である。ＵＥ１００−１及びＵＥ１００−３は、ｅＮＢ２００の近くに位置し、ＵＥ１００−２及びＵＥ１００−４は、ｅＮＢ２００の遠くに位置する。
【００９９】
ｅＮＢ２００は、第１の情報を送信する場合、当該第１の情報の受信対象となる複数のＵＥ１００を、伝搬遅延時間に基づいて、複数のＵＥ１００を複数のグループに分類する。具体的には、ｅＮＢ２００は、複数のＵＥ１００のうち、伝搬遅延時間が所定の範囲内に含まれる各ＵＥ１００を同一のグループに分類する。例えば、ｅＮＢ２００は、ＴＡ値の最大値と最小値との差が閾値Ｘを越えないように各ＵＥ１００を同一のグループに分類する。ＵＥ１００−１のＴＡ値とＵＥ１００−３のＴＡ値とが所定の範囲内に含まれる場合、ｅＮＢ２００は、ＵＥ１００−１とＵＥ１００−３とを同一のグループに分類する。従って、ＵＥ１００−１のＴＡ値とＵＥ１００−３のＴＡ値との差は、閾値Ｘを越えない。同様に、ｅＮＢ２００は、ＵＥ１００−２とＵＥ１００−４とを同一のグループに分類する。なお、所定の範囲及び閾値Ｘは、許容可能な受信タイミングのずれに応じた値である。
【０１００】
ｅＮＢ２００は、ＴＡ値以外の伝搬遅延に応じた情報（例えば、位置情報など）に基づいて、複数のＵＥ１００を複数のグループに分類してもよい。
【０１０１】
ｅＮＢ２００は、同一のグループを構成する各ＵＥ１００に同一の下り無線リソースを割り当てるように、スケジューリングを行う。その後、ｅＮＢ２００は、スケジューリングに基づいて、第１の情報を各ＵＥ１００に送信する。具体的には、ｅＮＢ２００は、ＷＬＡＮ通信方式により、同一の無線リソース（第１の無線リソース）を用いて、ＵＥ１００−１及びＵＥ１００−３へ第１の情報を同時に送信する。一方、ｅＮＢ２００は、ＷＬＡＮ通信方式により、第１の無線リソースと時間方向において異なる無線リソースを用いて、ＵＥ１００−２及びＵＥ１００−４へ第１の情報を同時に送信する。
【０１０２】
各ＵＥ１００は、第１の情報を受信した後、ＳＩＦＳ時間経過後に第２の情報をｅＮＢ２００へ送信する。ＵＥ１００−１及びＵＥ１００−３は、第１の情報を実質的に同時に受信し、実質的に同時に第２の情報を送信する。一方、ＵＥ１００−２及びＵＥ１００−４も、第１の情報を実質的に同時に受信し、実質的に同時に第２の情報を送信する。
【０１０３】
ｅＮＢ２００は、ＵＥ１００−１及びＵＥ１００−３から実質的に同時に第２の情報を受信し、ＵＥ１００−２及びＵＥ１００−４から実質的に同時に第２の情報を受信する。
【０１０４】
このように、ｅＮＢ２００は、伝搬遅延時間に基づくグループ毎に第１の情報を送信することで、ｅＮＢ２００が第２の情報を受信するタイミングを調整することができる。従って、ｅＮＢ２００は、第２の情報が時間方向に分散せずに、同一のグループを構成する各ＵＥ１００から同一のタイミング又は時間方向において同一の無線リソース内で第２の情報を受信することができる。このように、ｅＮＢ２００は、複数のＵＥ１００から効率よく第２の情報を受信することができる。
【０１０５】
［その他の実施形態］
上述した各実施形態によって、本出願の内容を説明したが、この開示の一部をなす論述及び図面は、本出願の内容を限定するものであると理解すべきではない。この開示から当業者には様々な代替実施形態、実施例及び運用技術が明らかとなろう。
【０１０６】
上述した各実施形態において、第２の情報は、ＡＣＫ／ＮＡＣＫだけでなく、制御情報及び／又はユーザデータ情報（例えば、ＰＵＣＣＨ（Ｐｈｙｓｉｃａｌ  Ｕｐｌｉｎｋ  Ｃｏｎｔｒｏｌ  ＣＨａｎｎｅｌ）／ＰＵＳＣＨ（Ｐｈｙｓｉｃａｌ  Ｕｐｌｉｎｋ  Ｓｈａｒｅｄ  ＣＨａｎｎｅｌ））であってもよい。
【０１０７】
上述した各実施形態において、ＵＥ１００とｅＮＢ２００との間におけるＷＬＡＮ通信方式による通信を説明したが、これに限られない。ＵＥ１００間におけるＷＬＡＮ通信方式による通信においても上述の動作を実行することができる。
【０１０８】
上述した第１実施形態に係る動作は、例えば、ＭＵ−ＭＩＭＯ（Ｍｕｌｔｉ  Ｕｓｅｒ  ＭＩＭＯ）技術により、同一の無線リソースが割り当てられたＵＥ１００が、同一の無線リソースを用いてフィードバック情報（ＡＣＫ／ＮＡＣＫ）を送信するケースにおいて、実行されてもよい。
【０１０９】
また、ｅＮＢ２００が同一のタイミングで又は時間方向（及び周波数方向）で同一の無線リソースを用いて、第１の情報を送信するケースだけでなく、図１２に示すように、ｅＮＢ２００は、時間方向において異なるタイミングで第１の情報（データ）を送信するケースにおいても、第１実施形態の動作が実行されてもよい。例えば、バースト送信に対するフィードバック情報（ＡＣＫ／ＮＡＣＫ）が、同一のタイミングで又は時間方向（及び周波数方向）で同一の無線リソースを用いて、ＵＥ１００からｅＮＢ２００へ送信されてもよい。
【０１１０】
上述した第１実施形態の動作パターン２において、ｅＮＢ２００は、送信タイミング情報として、第１の情報の受信完了から第２の情報の送信開始までの待ち時間を各ＵＥ１００に送信していた。しかしながら、待ち時間は、第１の情報の受信開始から第２の情報の送信開始までの待ち時間であってもよい。この場合、各ＵＥ１００は、ｅＮＢ２００から第１の情報の受信を開始してから、待ち時間が経過したタイミングで第２の情報の送信を開始する。
【０１１１】
また、上述の待ち時間は、ＳＩＦＳ時間を含んでいたが、待ち時間は、ＳＩＦＳ時間を含まなくてもよい。従って、ｅＮＢ２００は、ＳＩＦＳ時間を含まない待ち時間を送信タイミング情報として各ＵＥ１００に送信してもよい。この場合、各ＵＥ１００は、第１の情報の受信が完了してから、ｅＮＢ２００から受信した待ち時間及びＳＩＦＳ時間が経過したタイミングで第２の情報の送信を開始する。
【０１１２】
上述した第１実施形態の動作パターン２において、ｅＮＢ２００が、第１の情報の時間長さを所定値よりも短くするケースを詳細に説明したが、他の動作パターンにおいても同様の動作を実行できることは勿論である。
【０１１３】
上述した各実施形態に係る動作は、適宜組み合わせて実行されてもよい。例えば、ｅＮＢ２００は、上述した第１実施形態の各動作パターンにおける全ての送信タイミング情報又は複数の送信タイミング情報をＵＥ１００へ送信してもよい。
【０１１４】
上述した各実施形態では特に触れていないが、上述した各ノード（ＵＥ１００、ｅＮＢ２００など）のいずれかが行う各処理をコンピュータに実行させるプログラムが提供されてもよい。また、プログラムは、コンピュータ読取り可能媒体に記録されていてもよい。コンピュータ読取り可能媒体を用いれば、コンピュータにプログラムをインストールすることが可能である。ここで、プログラムが記録されたコンピュータ読取り可能媒体は、非一過性の記録媒体であってもよい。非一過性の記録媒体は、特に限定されるものではないが、例えば、ＣＤ−ＲＯＭやＤＶＤ−ＲＯＭ等の記録媒体であってもよい。
【０１１５】
或いは、ＵＥ１００及びｅＮＢ２００のいずれかが行う各処理を実行するためのプログラムを記憶するメモリ及びメモリに記憶されたプログラムを実行するプロセッサ）によって構成されるチップが提供されてもよい。
【０１１６】
上述した各実施形態では、移動通信システムの一例としてＬＴＥシステムを説明したが、ＬＴＥシステムに限定されるものではなく、ＬＴＥシステム以外のシステムに本出願に係る内容を適用してもよい。
【０１１７】
日本国特許出願第２０１５−２３０５３７号（２０１５年１１月２６日出願）の全内容が参照により本願明細書に組み込まれている。
【産業上の利用可能性】
【０１１８】
本発明は、無線通信分野において有用である。
【図１】
2017090673.tif 000003
【図２】
2017090673.tif 000004
【図３】
2017090673.tif 000005
【図４】
2017090673.tif 000006
【図５】
2017090673.tif 000007
【図６】
2017090673.tif 000008
【図７】
2017090673.tif 000009
【図８】
2017090673.tif 000010
【図９】
2017090673.tif 000011
【図１０】
2017090673.tif 000012
【図１１】
2017090673.tif 000013
【図１２】
2017090673.tif 000014
【国際調査報告】
2017090673.tif 000015
2017090673.tif 000016
2017090673.tif 000017
2017090673.tif 000018